(57)【要約】      （修正有）【課題】構造が簡単化でき、家庭用から工業用の広い範囲に亘る発電に用いることができる風力発電システムを提供する。【解決手段】風力発電システム１は、回転中心軸部２０を有する本体柱４と、複数の羽根１０と、本体柱４に取り付けられて回転中心軸部２０を中心に回転可能な回転部３と、発電機を備える。回転部３には、各羽根１０が回転中心軸部２０を中心として回転方向Ｒについて同じ角度毎にしかも回転可能に設けられている。風力発電システム１は、回転中心軸部２０に固定された複数の回転中心軸部側の歯車３１〜３６と、各羽根１０の回転軸１０Ａに固定された羽根側の歯車４０と、各羽根側の歯車４０と各羽根側の歯車４０に対応する各回転中心軸部側の歯車３１〜３６との間を連結するチェーンを有する。各羽根１０が風の力を受けて回転部３において回転（自転）することにより、回転部３が回転中心軸部２０を中心に回転（公転）されると発電機が発電を行う。【選択図】図１
0003224636.tif 000002
【実用新案登録請求の範囲】
【請求項１】
回転中心軸部を有する本体柱と、
複数の板状の羽根と、
前記本体柱に取り付けられて、前記回転中心軸部を中心に回転方向に回転可能になっている回転部と、
前記回転部の回転に連動して発電をする発電機と、を備え、
前記回転部には、各前記羽根が前記回転中心軸部を中心として前記回転方向について同じ角度毎に設けられ、しかも各前記羽根は回転軸を中心に回転可能に設けられ、
前記回転中心軸部に固定された複数の回転中心軸部側の歯車と、各前記羽根の前記回転軸に固定された羽根側の歯車と、各前記羽根側の歯車と各前記羽根側の歯車に対応する前記回転中心軸部側の歯車との間を連結する伝達帯と、を有し、
前記羽根の風を受ける面は、風の方向に対して同一方向に回転（自転）するように形成されており、前記羽根が前記回転中心軸部を中心にして周回（公転）し、
各前記羽根が風の力を受けて、各前記羽根が前記回転部において回転することにより前記回転部が前記回転中心軸部を中心に回転されると、前記回転部の回転により得られるトルクにより前記発電機が連動されて発電を行う構成としたことを特徴とする風力発電システム。
【請求項２】
強風時には、前記回転中心軸部に対する前記回転中心軸部側の歯車の固定状態が、解除され、隣接する前記羽根の側端部同士が接することで、複数の前記羽根は、前記回転中心軸部を中心とする筒状の構造体を構成することを特徴とする請求項１に記載の風力発電システム。
【請求項３】
前記回転中心軸部側の歯車の歯数と、前記羽根側の歯車の歯数とは、１：２に設定されており、前記回転部が２回転（公転）した時に、各前記羽根は前記回転部において1回転（自転）することを特徴とする請求項１または請求項２に記載の風力発電システム。
【請求項４】
複数の前記発電機が、前記本体柱内に設置されていることを特徴とする請求項１〜３のいずれか１項に記載の風力発電システム。
【考案の詳細な説明】
【技術分野】
【０００１】
本考案は、風力発電システムに係り、家庭用から工業用までの広い範囲に亘る発電に用いることができる風力発電システムに関する。
【背景技術】
【０００２】
工業用の風力発電機は、例えば９０ｍ前後の高さがあり、設置するための敷地面積が広大になる。この種の風力発電機は、本体重量が大きく構造が複雑であるので、設置には多額の費用がかかる。工業用の風力発電機は、三枚羽根が主流であり、巨大であって、例えば都心のビルの屋上には設置できない。
【０００３】
また、風力発電機には、特許文献１に開示されているように、複数の平行回転翼を有している構造のものも提案されている。この風力発電機においては、平行回転翼を基本的に風の流入方向に対して最適な迎角をとるようにして平行回転翼を回転させて発電するように形成されている。
【先行技術文献】
【特許文献】
【０００４】
【特許文献１】特開２０１４−１５６８３８公報
【考案の概要】
【考案が解決しようとする課題】
【０００５】
ところが、従来の風力発電機は、平行回転翼を回転させる機構が非常に複雑であるので重く、機械的なロスが生じやすく機械的な故障の発生のおそれがあり、高価であるという不都合があった。
【０００６】
本考案は、前記課題を解決するためになされたものであり、構造が簡単化でき、家庭用から工業用までの広い範囲に亘る発電に用いることができる風力発電システムを提供することを目的とする。
【課題を解決するための手段】
【０００７】
前記課題を解決する本考案の風力発電システムの第１の形態は、回転中心軸部を有する本体柱と、複数の板状の羽根と、前記本体柱に取り付けられて、前記回転中心軸部を中心に回転方向に回転可能になっている回転部と、前記回転部の回転に連動して発電をする発電機と、を備え、前記回転部には、各前記羽根が前記回転中心軸部を中心として前記回転方向について同じ角度毎に設けられ、しかも各前記羽根は回転軸を中心に回転可能に設けられ、前記回転中心軸部に固定された複数の回転中心軸部側の歯車と、各前記羽根の前記回転軸に固定された羽根側の歯車と、各前記羽根側の歯車と各前記羽根側の歯車に対応する前記回転中心軸部側の歯車との間を連結する伝達帯と、を有し、前記羽根の風を受ける面は、風の方向に対して同一方向に回転（自転）するように形成されており、前記羽根が前記回転中心軸部を中心にして周回（公転）し、各前記羽根が風の力を受けて、各前記羽根が前記回転部において回転することにより前記回転部が前記回転中心軸部を中心に回転されると、前記回転部の回転により得られるトルクにより前記発電機が連動されて発電を行う構成としたことを特徴とする。
【０００８】
この構成によれば、回転中心軸部側の歯車と前記羽根側の歯車とは、伝達帯を介して連結されている。羽根が風の力を受けて、羽根が回転部において回転（自転）することにより回転部が回転中心軸部を中心に回転（公転）されると、発電機は回転部の回転により得られるトルクにより連動されて発電を行うことができる。これにより、風力発電システムの構造が簡単化でき、家庭用から工業用までの広い範囲に亘る発電に用いることができる。
【０００９】
また、本考案の風力発電システムの第２の形態は、強風時には、前記回転中心軸部に対する前記回転中心軸部側の歯車の固定状態が、解除され、隣接する前記羽根の側端部同士が接することで、複数の前記羽根は、前記回転中心軸部を中心とする筒状の構造体を構成することを特徴とする。この構成によれば、台風等の強風時には、回転中心軸部側の歯車を前記回転中心軸部に対して固定している状態を解除することで、各羽根は回転中心軸部からの機械的な拘束から解放される。これにより、各羽根の向きを任意に変えて筒状の構造体を構成することで、強風から各羽根および風力発電システムを守ることができ、災害時の安全性を確保することができる。
【００１０】
また、本考案の風力発電システムの第３の形態は、前記回転中心軸部側の歯車の歯数と、前記羽根側の歯車の歯数とは、１：２に設定されており、前記回転部が２回転（公転）した時に、各前記羽根は前記回転部において1回転（自転）することを特徴とする。この構成によれば、回転部が２回転（公転）した時に、各羽根は回転部において1回転（自転）して、風に対する羽根の回転方向の角度を初期状態に戻すことができる。
【００１１】
また、本考案の風力発電システムの第４の形態は、複数の前記発電機が、前記本体柱内に設置されていることを特徴とする。この構成によれば、複数の発電機が本体柱内に設置されることにより、より大きな電力を発電することができるとともにシステム全体の安定性を高くすることができる。
【考案の効果】
【００１２】
本考案によれば、構造が簡単化でき、家庭用から工業用までの広い範囲に亘る発電に用いることができる風力発電システムを提供することができる。
【図面の簡単な説明】
【００１３】
【図１】本考案の風力発電システムの１実施形態を示す正面断面図
【図２】図１に示す実施形態を部分省略して回転部等の構造例を示す拡大断面図
【図３】図１に示す実施形態の本体部と回転部との関係示す拡大断面図
【図４】図1に示す風力発電システムの回転部を模式的に示す平面図
【図５】風力発電システムの上部の機構部分を模式的に示す正面断面図
【図６】本考案の風力発電システムの他の実施形態を模式的に示すとともに、本体柱の内部に配置されている発電機と増幅機を合わせて示す正面断面図
【図７】台風等が来る等の強風が吹く恐れがある場合に、風力発電システムを保護する様子を示す図４と同様の平面図
【図８】台風等が来る等の強風が吹く恐れがある場合に、風力発電システムを保護する際の風力発電システムの上部の機構部分を示す図５と同様の正面断面図
【考案を実施するための形態】
【００１４】
以下に、本考案の好ましい実施形態を、図面を参照して詳しく説明する。
【００１５】
図１から図５は、本考案の風力発電システムの１実施形態を示し、図６は他の実施形態を示す。両実施形態において、同一部分には同符号を用いている。
【００１６】
図1に示す風力発電システム１は、家庭用から工業用までの広い範囲に亘る発電設備として用いることができ、風の力を用いて発電する装置である。風力発電システム１は、本体部２と、回転部３と、回転部３に取り付けられている複数枚の羽根１０を有する。図示例においては、羽根１０の数としては、好ましくは６枚設けられている。
【００１７】
まず、本体部２の構造例を説明する。本体部２は、金属製の本体柱４と、この本体柱４内に配置されている発電機５０と増幅機５１（図６を参照）を有する。本体柱４は、好ましくは軽量化を図った鉄柱であり、この鉄柱は、４本のパイプ５と、これらのパイプ５を連結する複数本の連結部材６により構成されている。このように、本体柱４は、中実構造体ではなく、複数本のパイプ５を用いたフレーム構造体にすることで、風が通り易いので風の抵抗を受けにくく、しかも軽量化を図ることができる。
【００１８】
各パイプ５の下端部は、例えばコンクリート製のベース７に埋め込まれて固定されている。各パイプ５の下端部は、ベース７において、正方形の各角部にそれぞれ配置されている。各パイプ５の上端部側には、回転部３が風の力により回転できるように回転可能に支持されている。本体柱４の高さは、例えば４ｍ程度である。本体柱４の上端部には、回転部３の回転中心となる回転中心軸部２０が鉛直上向きにして回転部３を上下に貫通して固定設置されている。
【００１９】
図1と図４に示すように、回転部３において、例えば６枚の各羽根１０が、回転可能（自転可能）に取り付けられている。図１に示すように、各羽根１０は、好ましくは風の力を有効に受けるために長方形状の平板部材を採用しており、風Ｗを受けても破損しないように金属または強化プラスチック等により作られている。図１に示す各羽根１０の高さは、例えば２．４ｍ程度であり、各羽根１０の幅は、例えば高さの１／２程度である。各羽根１０の上端部の中央には、回転軸１０Ａが突出して設けられ、各羽根１０の下端部の中央には、回転軸１０Ｂが突出して設けられている。
【００２０】
回転部３は、円形状あるいは円盤型を有する構造体である。回転部３は、図４に示すように、６枚の羽根１０を、回転方向Ｒに関して６０度ごとに間隔をおいて垂直方向Ｔに沿って支持しながら、各羽根１０の回転の同期をとって回転させる機構を有する。回転部３は、図１から図３に示すように、円形状あるいは円盤型の上下の支持構造体１１,１１を備えており、本体部２の本体柱４の上端部８に対して、スラスト軸受け３９ａを用いて回転可能に支持されており、回転中心軸部２０に対して、ラジアル軸受け３９ｂを用いて回転可能に支持されている。上下の支持構造体１１,１１は、回転中心軸部２０に対して、上下に間隔をおいて平行になるように支柱等をもって間隔を保持されている。図１に示す支持構造体１１の水平方向の直径は、例えば２．５ｍ程度であり、中実構造体ではなく、フレーム構造体にして軽量化を図っている。これにより、回転部３は、風が通り易いので風の抵抗を受けにくく、しかも軽量化を図ることができる。
【００２１】
図１と図２に示すように、円形状あるいは円盤型の支持構造体１１,１１の外端部側には、各羽根１０の回転軸１０Ａがスラスト軸受けおよびラジアル軸受けをもって荷重を支承されると共に回転可能に取り付けられている。図１に示すように、回転部３は、支持構造体１１,１１に加えて、円形状あるいは円盤型の下部支持体１８を有している。支持構造体１１,１１と下部支持体１８は、平行になっている。下部支持体１８には、各羽根１０の回転軸１０Ｂがラジアル軸受けをもって回転可能に取り付けられている。図４に示すように、各羽根１０は、回転中心軸部２０を中心として回転方向Ｒ（公転方向Ｒ）について、同じ角度毎、例えば６０度毎にしかも回転可能に設けられている。各羽根１０は、上側の支持構造体１１と下部支持体１８との間で、回転軸１０Ａと回転軸１０Ｂとにより回転可能に、しかも垂直方向Ｔに沿って支持されている。
【００２２】
図１に示す回転中心軸部２０とその周辺の構造について、図２、図３、図５を参照して説明する。回転中心軸部２０には、６枚の歯車（またはスプロケット）３１，３２，３３，３４，３５，３６が、軸方向（上下方向）に間隔をおいて取付けられている。歯車３１，３２，３３，３４，３５，３６は、上下の支持構造体１１,１１の間に配置されている。なお、歯車３１，３２，３３，３４，３５，３６は、回転中心軸部２０に対して常時は固定状態とされるとともに、その固定状態を解除して回転自在とすることが可能なように、公知の接続切替機構をもって取り付けられている。一方、各羽根側の回転軸１０Ａには、羽根側の歯車（またはスプロケット）４０が固定されている。ただし、各羽根側の回転軸１０Ａにおける歯車４０の固定位置は、回転中心軸部２０側の歯車３１，３２，３３，３４，３５，３６の各位置に対応して、軸方向（上下方向）に関して順次ずらして配置されている。
【００２３】
すなわち、図５に示す断面では、右側の回転軸１０Ａの歯車４０は、回転軸１０Ａの最も上部に固定されており、この歯車４０は、最も上部に位置されている歯車３１に対応した高さ位置にある。同様にして、左側の回転軸１０Ａの歯車４０は、回転軸１０Ａの中間位置に固定されており、この歯車４０は、回転中心軸部２０の中間に位置されている歯車３４に対応した高さ位置にある。右側の回転軸１０Ａの歯車４０と、歯車３１とは、伝達帯としてのチェーン４４により連結されている。同様にして、左側の回転軸１０Ａの歯車４０と、歯車３４とは、チェーン４４により連結されている。
【００２４】
各歯車４０の大きさは同じである。各歯車３１から３６の大きさは同じである。例えば、歯車４０の歯数は、歯車３１から３６の歯数の２倍に設定されている。すなわち、回転中心軸部２０側の歯車３１から３６の歯数と、羽根側の歯車４０の歯数とは、１：２に設定されている。これにより、回転部３が回転方向Ｒに沿って２回転（公転）した時に、各羽根１０は回転部３において1回転（自転）して、回転部３が２回転すると、風Ｗに対する羽根１０の回転方向の角度を初期状態に戻すことができる。
【００２５】
図４に示すように、各羽根１０の歯車４０は、回転中心軸部２０側の対応する位置の歯車３１から３６に対して、それぞれ伝達帯としてのチェーン４４により連結されている。これにより、図４に示す各羽根１０は、風Ｗの力を受けると、回転部３において、回転軸１０Ａを中心としてＲ１方向に回転する。
【００２６】
図４において、各羽根１０が回転する際には、ポジションＰ１からポジションＰ６にそれぞれ位置される際の羽根１０の角度が異なる。すなわち、風Ｗの流れの上流側のポジションＰ１では、羽根１０の姿勢は、風Ｗの方向に対する迎角が例えば４５度よりも小さい角度で傾斜し、ポジションＰ２では、羽根１０の姿勢は、風Ｗの方向に対する迎角が例えば４５度の角度よりも大きい角度で傾斜している。ポジションＰ３では、羽根１０の姿勢は、風Ｗの方向に対する迎角が直角になっている。ポジションＰ４では、羽根１０の姿勢は、ポジションＰ２とは逆の方向に沿っている。ポジションＰ５では、羽根１０の姿勢は、ポジションＰ１とは逆の方向に沿っている。ポジションＰ６では、羽根１０の姿勢は、風Ｗの方向と平行になっていて、迎角はゼロである。このように各羽根１０は、回転部３において、Ｒ１方向に沿って、風Ｗの方向に対する姿勢が変化するようになっている。
【００２７】
図６は、本体柱４の内部に配置されている発電機５０と増幅機５１について示している。本体柱４の内部構造例を、図６を参照して説明する。なお、図６に示す例では、図1の例とは異なり、複数枚の羽根１０が上段羽根部６１を構成し、別の複数枚の羽根１０が下段羽根部６２を構成している。上段羽根部６１の各羽根１０の下端部と、下段羽根部６２の各羽根１０の上端部は、共通の回転軸１０Ｂにより、円形状あるいは円盤型の中間支持構造体１１８に対して回転可能に支持されている。下段羽根部６２の各羽根１０の下端部は、別の回転軸１０Ｃにより下部支持体１８に対して回転可能に支持されている。
【００２８】
図1と図６に示す各例では、発電機５０と増幅機５１は、本体部２内に積層された形態で収容されているので、発電機と増幅機を本体部２の外部に配置する場合に比べて、風力発電システム1の小型化を図ることができる。しかも、発電機５０と増幅機５１は、本体部２内の下部に配置されているので、風力発電システム１の重心を低くして安定性が向上し、風Ｗに対する安全性を高めることができる。
【００２９】
回転部３の回転を本体部２の増幅機５１側に取り出す機構を図３により説明する。回転部３の支持構造体１１の回転中心軸部２０の周囲の下面側の取付部１１Ｐには、回転中心軸部２０より外側に環状の出力歯車２２が連結筒２３をもって固定されている。この出力歯車２２には鉛直方向に伸びる出力軸７０に固着された連結歯車２４が噛合されていて、出力軸７０によって回転部３の回転を本体部２の増幅機５１側に取り出すように形成されている。
【００３０】
この出力軸７０は、本体部２の内部において回転自在に支持されており、図６に模式的に示すように、下端部７２が増幅機５１に接続されている。このため、回転部３の回転数は、増幅機５１により増速され、増幅機５１の出力軸７３が、複数の発電機５０の入力軸７４を回転させることで、発電機５０は発電を行う。この例では、複数の発電機５０を本体柱４内に直列に配置することで、発電能力を高めることができる。
【００３１】
次に、上述した風力発電システム１の動作例を説明する。
【００３２】
図４に示すように、風Ｗが矢印方向に吹くと、各羽根１０は風Ｗを受けることで、各羽根１０は、回転軸１０Ａを中心にして回転方向Ｒ１に沿って回転を始めると、回転部３は回転中心軸部２０を中心にして図４の回転方向Ｒに連続回転をする。すなわち、図４に示すように、各羽根１０が風Ｗの力を受ける場合に、ポジションP１、P２、P３、P４、P５における羽根１０の向きは、風Ｗの力の向きに対して迎角を有していて交差しているので、これらのポジションＰ１、Ｐ２、Ｐ３、Ｐ４、Ｐ５の羽根１０は必ず風Ｗの力を受けて、回転軸１０Ａを中心にして回転方向Ｒ１に沿って回転する。ポジションＰ６に位置される羽根１０は風Ｗの力の向きと平行になるので、ポジションＰ６における羽根１０は瞬間的に風Ｗの力を受けにくくなるが、回転部３が回転方向Ｒに回転することによって風Ｗの力を受けて連続回転することとなる。回転中心軸部２０側の歯車３１から３６の歯数と、羽根側の歯車４０の歯数とは、１：２に設定されているので、回転部３が回転方向Ｒに沿って２回転した時に、各羽根１０は回転部３において回転方向Ｒ１に沿って1回転して、風Ｗに対する羽根１０の回転方向の角度を初期状態に戻すようにして回転する。各羽根１０が回転方向Ｒ１に沿って回転することにより回転部３が回転方向Ｒに沿って回転する回転動力は、支持構造体１１の下面に固着されている出力歯車２２が一体的に回転方向Ｒに回転することにより、連結歯車２４を介して出力軸７０に伝達される。この回転動力は、出力軸７０から増幅機５１に伝達されることで増速され、増速された回転動力は、各発電機５０を駆動して発電させる。このようにして、風Ｗの力を発電機５０による発電を行う力に用いることができることから、風力発電が実行される。
【００３３】
また、図７と図８は、台風等が来る等の強風が吹く恐れがある場合に、風力発電システム１を保護する様子を示している。このように、強風が吹く場合には、歯車３１，３２，３３，３４，３５，３６の回転中心軸部２０に対する接続状態を接続切替機構により固定状態から回転自在状態に切り換えることによって、図７の平面視において、風Ｗの方向に対する各羽根１０の姿勢を変えて、６つの羽根１０が上から見てほぼ正六角形になるように配置させる。各羽根１０の両側の側端部１０Ｄは、隣り合う羽根１０の側端部１０Ｄに対して接するか近接させる。これにより、各羽根１０は、回転中心軸部２０を中心として全周に渡って筒状の構造体８０となって囲むことができるので、風Ｗの力を受けても回転部３が回転方向Ｒに回転することを阻止して、各羽根１０および風力発電システム１の全体が風Ｗの強い力により損傷するのを防ぐことができる。このため、風力発電システム１は、強風下において安全に保護できる。
【００３４】
以上説明したように、本考案の風力発電システム１は、回転中心軸部２０を有する本体柱４と、複数の板状の羽根１０と、本体柱４に取り付けられて、回転中心軸部２０を中心に回転方向に回転可能になっている回転部３と、回転部３の回転に連動して発電をする発電機５０を備える。回転部３には、各羽根１０が回転中心軸部２０を中心として回転方向Ｒについて同じ角度毎、例えば６０度毎に設けられ、しかも各羽根１０は回転軸１０Ａ、１０Ｂを中心にして回転可能に設けられている。
【００３５】
しかも、風力発電システム１は、回転中心軸部２０に固定された複数の回転中心軸部２０側の歯車３１から３６と、各羽根１０の回転軸１０Ａに固定された羽根側の歯車４０と、各羽根側の歯車４０と各羽根側の歯車４０に対応する各回転中心軸部側の歯車３１から３６との間を連結する伝達帯としてのチェーン４４と、を有する。風力発電システム１は、各羽根１０が風の力を受けて、各羽根１０が回転部３において回転することにより、回転部３が回転中心軸部２０を中心に回転されると、回転部３の回転により得られるトルクにより発電機５０が連動されて発電を行う。
【００３６】
これにより、各羽根１０が風の力を受けて、各羽根１０が回転部３において回転することにより、回転部３が回転中心軸部２０を中心に回転される。発電機５０は、回転部３の回転により得られるトルクにより連動されて発電を行う。回転中心軸部側の歯車３１から３６と羽根側の歯車４０とは、伝達帯であるチェーン４４を介して連結されている。従って、風力発電システム１の構造が簡単化でき、家庭用から工業用までの広い範囲に亘る発電に用いることができる。
【００３７】
強風時には、図７に示すように、回転中心軸部側の歯車３１から３６を回転中心軸部２０に対して固定している状態が、解除される。これにより、台風等の強風時には、回転中心軸部２０に対する歯車３１から３６とチェーン４４により機械的に固定されている状態を解除することができる。このため、各羽根１０は回転部３における機械的な拘束から解放され、各羽根１０の向きを任意に変えることで、筒状の構造体８０を構成して強風から各羽根１０と風力発電システム１を守ることができる。
【００３８】
回転中心軸部側の歯車３１から３６の歯数と、羽根１０側の歯車４０の歯数とは、１：２に設定されている。これにより、回転部３が回転方向Ｒに沿って２回転した時（各羽根１０は２回の公転をした時）に、各羽根１０は回転部３において回転方向Ｒ１に沿って1回転（自転）して、風Ｗに対する羽根１０の回転方向の角度を初期状態に戻すことができる。
【００３９】
羽根１０の風を受ける面は、風Ｗの方向に対して同一方向に回転（自転）するように形成されており、羽根１０が回転中心軸部２０を中心にして周回（公転）する。これにより、羽根１０は風Ｗを受けて風Ｗの力を効率よく受け取ることができるので、風力発電システム１は風の力を有効利用できる。
【００４０】
強風時には、隣接する羽根１０の側端部１０Ｄ同士が接することで、複数の羽根１０は、回転中心軸部２０を中心とする筒状の構造体８０を構成する。これにより、複数の羽根１０が、回転中心軸部２０を中心とする筒状の構造体８０を構成できるので、強風時であっても各羽根１０と風力発電システム１が破損してしまうのを防ぐことができ、災害時の安全性を確保できる。
【００４１】
複数の発電機５０が本体柱４内の下部に設置されている。これにより、重量物である複数の発電機５０が本体柱４内の下部に設置されることにより、より大きな発電電力を発電することができ、風力発電システム1の接地安定性が増す。
【００４２】
本考案は、上記実施形態に限定されず、その一部を省略したり、構成要素を任意に組み合わせたりすることができる。例えば、羽根の枚数は、６枚に限らず、５枚あるいは６枚よりも多くても良い。
【符号の説明】
【００４３】
１  風力発電システム
２  本体部
３  回転部
４  本体柱
１０  羽根
１０Ａ、１０Ｂ  回転軸
１１  支持構造体
２０  回転中心軸部
３１〜３６  歯車
４０  歯車
４４  チェーン（伝達帯の例）
５０  発電機
５１  増幅機
８０  筒状の構造体
Ｗ  風
【図１】
0003224636.tif 000003
【図２】
0003224636.tif 000004
【図３】
0003224636.tif 000005
【図４】
0003224636.tif 000006
【図５】
0003224636.tif 000007
【図６】
0003224636.tif 000008
【図７】
0003224636.tif 000009
【図８】
0003224636.tif 000010